(57)【要約】【課題】岩盤に設置した崩落予測器を用いて岩盤の崩落予測をするものであって、該設置する場合に、正確に水平状態に設置する等の手間が不要で、簡単にしかも風雨等に影響されることがないものを提供する。【解決手段】球状のケーシング２に、互いに交じり合わない液体５と気体６とを封入すると共に、天頂に取り付けられた方位磁石７と、経緯度の印とが形成されたものを崩落予測器１とし、該崩落予測器１を岩盤Ｒに設置し、液体表面の経緯度および方位磁石の方位の変化を経時的に測定をし、変化が予め設定された値に達したとき崩落の惧れがあると予測するようにしたもの。【選択図】図２
2010117137.tif 000002
【特許請求の範囲】
【請求項１】
岩盤の崩落予測器であって、該崩落予測器は、中空状のケーシングと、該ケーシングに施された経緯度の印と、ケーシングに封入され、比重が異なっていて互いに交じり合わず境界線が識別可能な二種類の流体とからなり、岩盤に固定した崩落予測器内の二種類の流体の境界線が通る経緯度の観測がケーシング外からできるように構成されていることを特徴とする岩盤の崩落予測器。
【請求項２】
ケーシングの極点には方位磁石が設けられていることを特徴とする請求項１記載の岩盤の崩落予測器。
【請求項３】
二種類の流体は液体と気体であることを特徴とする請求項１または２記載の岩盤の崩落予測器。
【請求項４】
ケーシングは球体であることを特徴とする請求項１乃至３の何れか１記載の岩盤の崩落予測器。
【請求項５】
ケーシングは筒体であることを特徴とする請求項１乃至３の何れか１記載の岩盤の崩落予測器。
【請求項６】
ケーシングは透光性であり、経緯度をケーシングに描いたものであることを特徴とする請求項１乃至５の何れか１記載の岩盤の崩落予測器。
【請求項７】
ケーシングは不透光性であり、経緯度を切り抜いて描いたものであることを特徴とする請求項１乃至５の何れか１記載の岩盤の崩落予測器。
【請求項８】
岩盤の崩落予測方法であって、中空状のケーシングと、該ケーシングに施された経緯度の印と、ケーシングに封入され、比重が異なっていて互いに交じり合わず境界線が識別可能な二種類の流体とからなる崩落予測器を岩盤に固定し、該固定した崩落予測器内の二種類の流体の境界線が通る経緯度の観測をケーシング外から経時的に行い、該経緯度の変化に基づいて崩落の予測をするようにしたことを特徴とする岩盤の崩落予測方法。
【請求項９】
ケーシングの極点に設けた方位磁石によって方位変化の観測もして崩落予測をするようにしたことを特徴とする請求項８記載の岩盤の崩落予測方法。
【発明の詳細な説明】
【技術分野】
【０００１】
本発明は、鉄道や道路、あるいは民家等の人間生活に関与するところに崩落する惧れがある岩盤の崩落予測器および崩落予測方法の技術分野に属するものである。
【背景技術】
【０００２】
今日、自然災害の一つとして、鉄道や道路、あるいは民家等の人間生活に関与するところに岩盤が崩落する場合がある。このような岩盤の崩落は、予測することが難しく、定期的に係員が巡回して岩盤の様子を観測し、崩落をする惧れのある岩盤を見つけ出す、という作業が強いられていたが、このような崩落の予測は係員によって個人差があり、正確に予測することが難しいという問題がある。
そこで岩盤上に水平状態に設置された載置台の表面に球体を載置し、岩盤が傾斜することに伴い載置台が傾斜すると、球体が載置台から落下することで崩落予測をするようにしたものが知られている（例えば特許文献１）。
【特許文献１】特開２００８−１７０４２６号公報
【発明の開示】
【発明が解決しようとする課題】
【０００３】
ところが前記従来のものは、載置台を岩盤上に正確に水平に設置しなければならないうえに、風雨の影響を受けないようにするため載置台を確りとカバーする必要があり、部品点数が多くなるだけでなく、設置作業に手間がかかるという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、岩盤の崩落予測器であって、該崩落予測器は、中空状のケーシングと、該ケーシングに施された経緯度の印と、ケーシングに封入され、比重が異なっていて互いに交じり合わず境界線が識別可能な二種類の流体とからなり、岩盤に固定した崩落予測器内の二種類の流体の境界線が通る経緯度の観測がケーシング外からできるように構成されていることを特徴とする岩盤の崩落予測器である。
請求項２の発明は、ケーシングの極点には方位磁石が設けられていることを特徴とする請求項１記載の岩盤の崩落予測器である。
請求項３の発明は、二種類の流体は液体と気体であることを特徴とする請求項１または２記載の岩盤の崩落予測器である。
請求項４の発明は、ケーシングは球体であることを特徴とする請求項１乃至３の何れか１記載の岩盤の崩落予測器である。
請求項５の発明は、ケーシングは筒体であることを特徴とする請求項１乃至３の何れか１記載の岩盤の崩落予測器である。
請求項６の発明は、ケーシングは透光性であり、経緯度をケーシングに描いたものであることを特徴とする請求項１乃至５の何れか１記載の岩盤の崩落予測器である。
請求項７の発明は、ケーシングは不透光性であり、経緯度を切り抜いて描いたものであることを特徴とする請求項１乃至５の何れか１記載の岩盤の崩落予測器である。
請求項８の発明は、岩盤の崩落予測方法であって、中空状のケーシングと、該ケーシングに施された経緯度の印と、ケーシングに封入され、比重が異なっていて互いに交じり合わず境界線が識別可能な二種類の流体とからなる崩落予測器を岩盤に固定し、該固定した崩落予測器内の二種類の流体の境界線が通る経緯度の観測をケーシング外から経時的に行い、該経緯度の変化に基づいて崩落の予測をするようにしたことを特徴とする岩盤の崩落予測方法である。
請求項９の発明は、ケーシングの極点に設けた方位磁石によって方位変化の観測もして崩落予測をするようにしたことを特徴とする請求項８記載の岩盤の崩落予測方法である。
【発明の効果】
【０００５】
請求項１または８の発明とすることで、岩盤に、正確に水平状に取り付ける必要はなく、しかもカバー等の必要もなく簡単に設置したもので岩盤の崩落予測ができることになる。
請求項２または９の発明とすることで、岩盤が地軸回りに移動したものについても観測でき、より確実な崩落予測ができることになる。
請求項３または４の発明とすることで、簡単なケーシングでありながら岩盤崩落の予測ができることになる。
請求項５の発明とすることで、二種類の流体の選択が簡単になる。
請求項６または７の発明とすることにより、簡単な構成で岩盤の崩落予測が確実にできることになる。
【発明を実施するための最良の形態】
【０００６】
次ぎに、本発明の実施の形態について図面に基づいて説明する。１は岩盤の崩落予測器であって、該崩落予測器１は、中空の球体をケーシング２として用いているが、該ケーシング２は、透明または半透明樹脂材を用いて構成されている。そしてケーシング２には、経線３と緯線４、そして経度３ａと緯度４ａとが印刷や切欠き（罫書き）等の適宜印形成手段で形成されていると共に、ケーシング２内には、液体５と空気６が内容積の１／２づつ充填されている。さらにケーシング２の極点（例えば北極点）には方位磁石７が設けられている。
【０００７】
このように構成された崩落予測器１を、崩落の惧れがあると推定される岩盤Ｒに接着剤８で固定（接着）することになるが、この場合に、液体５が赤道を通ると共に、方位磁石７の指針方向が南北を向くようにケーシング２を固定する。このように固定した後のケーシング２について、液体５が横切るところの経線３、緯線４の経度３ａ、緯度４ａを正確に記録すると共に、方位磁石７の指針についても正確に記録する。このような記録を、定期的に、あるいは台風や大雨の異常天候があったときには不定期に係員が観測して記録する。このようにして観測した記録について、液体５の表面（気体６との境界）５ａが横切る経度、緯度に変化が認められたり、方位磁石７の指針に変化があったりした場合、岩盤Ｒは移動していると判断し、要注意岩盤として観測を頻繁にし、例えば設置当初の状態から５度ほど傾いたときを崩落の惧れがある岩盤Ｒであるとして崩落予測をし、撤去したり補強したりの必要な措置をとるよう管理される。
【０００８】
叙述の如く構成された本発明の実施の形態において、岩盤Ｒに崩落予測器１を設置し、液体５の表面が通る経緯度を経時的に測定することで岩盤Ｒの移動状態を知ることができ、そして予め設定される崩落予測角度だけ移動した場合に、崩落の惧れがある岩盤Ｒであるとして特定し、必要な措置を採ることができる。しかもこの場合に、経時変化をグラフ化しておくことで変化速度も知ることができ、これによって将来的な変化の予測もできることになる。
【０００９】
このように、本発明が実施されたものにおいては、岩盤Ｒの崩落予測ができるものであるが、ケーシング２内の液体５の表面が通る経緯度を経時的に測定するものであるため、設置時、液体５の表面が正確に水平を向くように設置する必要はなく、誤差があっても問題なく観測ができるため、設置作業が簡単になる。しかもケーシング２に液体５と空気６とを封入したものであるため、風雨等の影響を受けることもない。
【００１０】
しかもこのものでは、方位磁石７が設けられているため、地軸回りの回転も測定できることになって、測定精度が向上する。
【００１１】
尚、本発明は前記実施の形態に限定されるものではなく、図４に示す第二の実施の形態のようにケーシング２を筒体にしてもよく、筒体としては円筒、角筒等、経緯変化を測定できるものであればどのような形状でもよい。
また封入する二種類の流体としては、気体と液体に限定されず、比重が異なっていて互いに交じり合わず境界線が識別可能なもの同士であれば特に限定されず、例えば水と油のようなものであっても良い。そして境界線をより確実に認識するためには、二種類の流体の色が異なったものが好ましく、特に一方の流体が蓄光して発光するものであれば、夜間での測定もでき、より都合が良い。
さらにまた、経緯度は岩盤姿勢の変化が観測できるものであれば特に限定されず、点表示されたもの、さらには傾斜状になっているものであっても良いことはいうまでもない。
またさらに、経緯度の表示としては、前記実施の形態では透光性のものに経緯度を描いたものとしたが、逆に、ケーシング２の表面を黒塗りする等して不透光にすると共に経緯度を切り抜きしたものとして内部流体が切り抜かれた経緯度を通して観測できるようにしても実施することができる。この場合、内部流体の一方を蓄光により発光するものとすると共に、ケーシング頂部を透光性にしておいて内部流体が蓄光して発光できるようにすることが観測を容易にするため好ましい。
【図面の簡単な説明】
【００１２】
【図１】第一の実施の形態を示す岩盤の崩落予測器の正面図である。
【図２】崩落予測器を岩盤に設置した状態を示す正面図である。
【図３】崩落予測器の斜視図である。
【図４】第二の実施の形態を示す岩盤の崩落予測器の正面図である。
【符号の説明】
【００１３】
１    崩落予測器
２    ケーシング
３    経線
３ａ  経度
４    緯線
４ａ  緯度
５    液体
６    気体
７    方位磁石
【図１】
2010117137.tif 000003
【図２】
2010117137.tif 000004
【図３】
2010117137.tif 000005
【図４】
2010117137.tif 000006